(57)【要約】      （修正有）【課題】ラインを切断せずに簡便に錘の重さを変えることができ、重さ別に何種類もの錘を持ち運ぶ必要のないルアー仕掛けを提供すること。【解決手段】ライン３の下部に固定されるルアー本体部と、前記ライン３に装着され前記ルアー本体部を沈めるための錘１１とを有するルアー仕掛けにおいて、前記錘１１は３つ以上に分割され、夫々は前記ライン３が通る挿通孔１１ｂを有する錘片１１ｘ、１１ｙで形成され、両端の錘片１１ｘ、１１ｙの間に介装される錘片１１ｃ（重さ調整用錘片）は、当該錘片１１ｃの外周部から前記挿通孔にかけて前記ラインの太さよりも広い幅のスリット１１ｅが設けられており、夫々の錘片１１ｃは、隣接する錘片１１ｃと互いに係止可能な係止手段を備える。【選択図】図１
2017176155.tif 000002
【特許請求の範囲】
【請求項１】
ラインの下部に固定されるルアー本体部と、前記ラインに装着され前記ルアー本体部を沈めるための錘とを有するルアー仕掛けであって、
前記錘は、３つ以上に分割され、夫々は前記ラインが通る挿通孔を有する錘片で形成され、両端の錘片の間に介装される錘片は、当該錘片の外周部から前記挿通孔にかけて前記ラインの太さよりも広い幅のスリットが設けられており、
夫々の錘片は、隣接する錘片と互いに係止可能な係止手段を備えていることを特徴とするルアー仕掛け。
【請求項２】
前記係止手段は、磁石であることを特徴とする請求項１に記載のルアー仕掛け
【請求項３】
夫々の錘片は、隣接する錘片と嵌合させる嵌合手段を有していることを特徴とする請求項１または２に記載のルアー仕掛け。
【請求項４】
釣竿側端の錘片において、水中でラインよりも低くなる位置にフック取り付け部材を設けたことを特徴とする請求項１乃至３のいずれかに記載のルアー仕掛け。
【請求項５】
ルアー本体部を沈めるためのルアー仕掛け用錘であって、
前記錘は、３つ以上に分割され、夫々はラインが通る挿通孔を有する錘片で形成され、両端の錘片の間に介装される錘片は、当該錘片の外周部から前記挿通孔にかけて前記ラインの太さよりも広い幅のスリットが設けられており、
夫々の錘片は、隣接する錘片と互いに係止可能な係止手段を備えていることを特徴とするルアー仕掛け用錘。
【発明の詳細な説明】
【技術分野】
【０００１】
本発明は、魚釣り用のルアー仕掛けに係り、特に鯛等を釣るのに好適な鯛ラバ仕掛けとしても用いることのできるルアー仕掛け及びルアー仕掛け用錘に関する。
【背景技術】
【０００２】
従来、真鯛、ソイ、ホッケ等の根魚を釣るために、鯛カブラ、鯛ラバとも称されるルアー仕掛けが用いられている。このルアー仕掛けは、概略的にはライン（釣糸）の先端に繋がれたフックの周囲にラバーを装着し、さらにラインに対して前記フックを水中に沈めるための錘を装着した構成になっている。
【０００３】
例えば特許文献１では、潮目によって、あるいはその時々の状況によってラインを切断せずに錘（ヘッド）の重さを変えられるように、ラインが挿通されたラインガイドを錘の装着孔に挿脱可能に嵌合させる構造のルアー仕掛け（鯛ラバ仕掛け）が提案されている。
【先行技術文献】
【特許文献】
【０００４】
【特許文献１】特開２０１４−２１７３３４号公報
【発明の概要】
【発明が解決しようとする課題】
【０００５】
しかしながら、上述の従来の技術によれば、ラインを切断せずに錘を交換できるものの、重さごとに何種類もの錘を持ち運ぶ必要があった。錘は数ｇ〜１００ｇあるいはそれ以上になる場合があるので何種類もの錘を持ち運ぶのは不便である。
【０００６】
本発明は、上述のかかる事情に鑑みてなされたものであり、ラインを切断せずに簡便に錘の重さを変えることができ、重さ別に何種類もの錘を持ち運ぶ必要のないルアー仕掛け及びルアー仕掛け用錘を提供することを目的とする。
【課題を解決するための手段】
【０００７】
上記目的を達成するため、本発明に係るルアー仕掛けは、ラインの下部に固定されるルアー本体部と、前記ラインに装着され前記ルアー本体部を沈めるための錘とを有するルアー仕掛けであって、
前記錘は、３つ以上に分割され、夫々は前記ラインが通る挿通孔を有する錘片で形成され、両端の錘片の間に介装される錘片（重さ調整用錘片）は、当該錘片の外周部から前記挿通孔にかけて前記ラインの太さよりも広い幅のスリットが設けられており、
夫々の錘片は、隣接する錘片と互いに係止可能な係止手段を備えていることを特徴とする。
【０００８】
使用者は、予め両端の錘片および予想される重さ分の前記重さ調整用錘片をラインに取り付けておく。重さ調整用錘片にはスリットが設けられているが、両端の錘片にはスリットは設けられていない。使用者は、現場の状況によって、錘の重さを増やす必要があるときは、重さ調整用錘片の外周部からスリットを通してラインを挿通孔位置へセットする。各錘片は係止手段によって隣接する錘片と係止するので、使用者は、既にラインンに装着した錘片をラインから取り外すことなく重さ調整用錘片を追加装着することができる。また、錘の重さを軽くするときは、使用者は当該重さ調整用錘片の係止を解いて、あるいは係止力に抗して、スリットを通して当該重さ調整用錘片をラインから取り外す。
【０００９】
係止手段としては磁石を用いることができる。この磁石の吸引力により、両端の錘片およびその間に介装される一または二以上の重さ調整用錘片を連結させることができる。
【００１０】
好ましくは、前記係止手段とは別に嵌合手段を設けるようにすると良い。これら２つの手段によるダブルロック方式により重さ調整用錘片の脱落を防止し、より安定的に装着することができる。
【００１１】
なお、錘片を複数連結させた状態で、少なくとも一面は平面を形成するようにすると良い。重さ調整用錘片の介装時にこの平面を下側（底面）にすれば、装着作業を簡便に行うことができる。
【００１２】
また、前記両端の錘片のうち、釣竿側の錘片で、水中でラインより下側になる部分にフックを取り付けるためのアイ（フック取り付け部材）を設けるようにすると良い。根魚は錘に食いつこうとする傾向があるので、この部分にフックを設けることにより釣果を期待できる。
【発明の効果】
【００１３】
以上、本発明によれば、互いに係止可能な複数の錘片により錘を形成し、少なくとも一つの錘片についてはラインを切らずに脱着できるので、簡便に錘の重さを調整することができる。これにより、使用者は重さごとに複数の錘を持ち運ぶ必要がなくなり利便性が向上する。
【図面の簡単な説明】
【００１４】
【図１】本発明の第１の実施の形態によるルアー仕掛けの構成およびその説明図である。
【図２】図１のルアー仕掛けの水中での状態の説明図である。
【図３】図１のルアー仕掛けの底辺部から見た斜視図である。
【図４】図１のルアー仕掛けの底辺部に形成されるスリットおよび磁石の作用の説明図である。
【図５】本発明の第２の実施の形態によるルアー仕掛けの嵌合手段の構成の説明図である。
【図６】図５の他の実施例による嵌合手段の構成の説明図である。
【図７】図６の嵌合手段の嵌合状態を表した図である。
【図８】本発明の第３の実施の形態によるルアー仕掛けの構成の説明図である。
【図９】本発明の実施の形態のルアー仕掛けの応用例の説明図である。
【発明を実施するための形態】
【００１５】
以下に本発明に係るルアー仕掛けの第１の実施の形態を図面を参照しながら説明する。
図１において、本実施の形態によるルアー仕掛け１０は、ライン３の先端につながれたフック１２の周囲にラバー１３が装着され、ライン３に沿って浮動可能な錘１１を有している。フック１２とラバー１３でルアー本体部をなす。錘１１は、ライン３に対して略垂直に複数に分割されている。以下、分割された一つ一つを「錘片」という。両端の錘片のうち、ルアー本体部側の錘片を「後端側錘片」（１１ｘ）、その反対側（釣竿側）の錘片を「先端側錘片」（１１ｙ）という。また、後端側錘片１１ｘと先端側錘片１１ｙの間に介装される重さを調整するための錘片を「重さ調整用錘片」（１１ｃ）という。
【００１６】
各錘片（１１ｘ，１１ｙ，１１ｃ）は係止手段として磁石１４を備え、隣接する面ではＳ極，Ｎ極が対向するように設けられており、隣り合う錘片は磁石１４の吸引力により互いに係止する。これにより、両端の錘片１１ｘ，１１ｙおよびこの間に介装される重さ調整用錘片１１ｃを連結させることができる。
【００１７】
図１の例では、両端を含めて４つの錘片で構成されているが、本発明は基本的に両端の錘片を含み３分割以上、すなわち少なくとも一つの調整用錘片が介装可能であれば良い。なお、使用に際しては、後端側錘片１１ｘと先端側錘片１１ｙ同士のみが磁石１４により連結した状態、すなわち重さ調整用錘片が０個の場合でも使用可能である。
【００１８】
本実施の形態による構造の錘１１は、重さ調整用錘片１１ｃの底辺部１１ｄのスリットｅからライン３を挿入する構成であり、係止手段である磁石１４を挿通孔１１ｂの上（上辺部方向）に配置する構成にしているので、重心がラインよりも上方になる。このため、水中では図２のように底辺部１１ｄが上になる。しかし、錘１１の各錘片はは磁石１４により連結しているため重さ調整用錘片１１ｃは脱落せず安定的に一塊の錘として使用することができる。
【００１９】
先端側錘片１１ｙと後端側錘片１１ｘはライン３を挿通するための挿通孔１１ｂを有している。重さ調整用錘片１１ｃは、図３，図４に示すように底辺部１１ｄから挿通孔１１ｂの位置にかけてスリット１１ｅが設けられている。このスリット１１ｅはライン３が辛うじて通るだけの幅を有し、スリット１１ｅの切り込み口は挿入孔１１ｂと平行になっている。ルアー仕掛け１０の使用時は、両端の錘片１１ｘ，１１ｙには予め挿通孔１１ｂにライン３を通して各錘片をライン３に装着しておく。重さ調整用錘片１１ｃは、主に使用現場において必要に応じて、スリット１１ｅを通してライン３を挿入孔１１ｂにセットすることによりライン３に取り付けられる。
【００２０】
図４の例では、各錘片において外周部をなす底辺部１１ｄは、連結状態で平面を形成している。挿通孔１１ｂは、底辺部１１ｄから同じ距離（高さ）に設けられており、両端の錘片１１ｘ，１１ｙおよび重さ調整用錘片１１ｃを連結させた状態でライン３は直線的に各錘片の挿通孔１１ｂを貫通するようになっている。このような構造にすることにより、釣り現場においても容易に調整用錘片を着脱することができる。なお図４中、後端側錘片１１ｘの磁石１４がＳ極ならば先端側錘片１１ｙはＮ極となり、後端側錘片１１ｘがＮ極ならば先端側錘片１１ｙはＳ極となる。重さ調整用錘片１１ｃは、一方がＳ極，他方がＮ極の両面を有する。
【００２１】
以上のごとく、本実施の形態によるルアー仕掛けの錘は磁石で連結された分割式であり、ラインが各錘片の挿通孔を貫通する。また、両端の錘片の間に介装される重さ調整用錘片は、外周部から挿通孔位置に至るスリットが設けられており、このスリットを通してラインを挿入することによりラインを切らずにかつ錘ごと交換せずに錘の重さを変更することができる。
【００２２】
次に本発明の第２の実施の形態を説明する。
本実施の形態によるルアー仕掛け１０の錘１１は第１の実施の形態と同様に磁石１４で連結された分割式であるが、さらに連結面は凹凸構造を有し、これにより隣り合う錘片が嵌合するダブルロックの構造をなしている。
【００２３】
図５において、各錘片の磁石部分周辺が凸状、対向する面（嵌合面）が凹状に形成されている。これにより、磁石１４によって隣接する錘片が係止したときに凸部１１ｊと凹部１１ｋが嵌合するので、より安定的に装着・使用することができる。なお、図５中、後端側錘片１１ｘが凸部１１ｊを有するならば先端側錘片１１ｙは凹部１１ｋを有することになり、後端側錘片１１ｘが凹部１１ｋを有するならば先端側錘片１１ｙは凸部１１ｊを有することになる。重さ調整用錘片１１ｃは、一方の面が凹部１１ｋ，他方の面が凸部１１ｊの両方を有する。磁石の極性については図４と同様である。
【００２４】
（他の実施例）
図６に嵌合手段の他の実施例を示す。図６において本実施例は錘片Ａの凹部ｎに対して隣接する錘片Ｂの凸部ｍを上側から縦方向（上下方向）に挿入し、両側面を嵌合させる。錘片Ｂの凸部ｍの先端部分の幅は、その付け根部分の幅よりも広くなっており、錘片Ａの凹部ｎはこの凸部ｍに嵌合する形状になっている。これにより、両錘片は図７に示すように、しっかりと嵌合するので強風荒波時や不測の事態での錘片の脱落を回避することができる。錘片のうち、重さ調整用の錘片は、凸部１１ｍと凹部１１ｎの両方を備えており、両端の錘片１１ｘ，１１ｙは一方が凸部１１ｍ、他方が凹部１１ｎを備える。磁石の極性については図４と同様である。
【００２５】
これにより、両端の錘片とその間に介装される重さ調整用錘片は、凸部１１ｍと凹部１１ｎによりしっかりと係止し一塊の錘１１を形成する。本実施例による錘片を用いることにより、第１の実施の形態で説明した磁石を省くことも可能になる。
【００２６】
次に本発明の第３の実施の形態について説明する。
本実施の形態は、水中においてラインが錘片に係止する構造にしたものである。例えば、重さ調整用錘片１１ｃの底辺部１１ｄから挿通孔位置へスリット１１ｅを真直ぐに設けるのではなく、図８に示すように、重さ調整用錘片１１ｃの外周部のうち挿通孔位置に対して上辺部１１ｆ方向からスリット１１ｅを設けるようにしてもよい。あるいは、底辺部１１ｄから切り込まれたスリット１１ｅを一旦挿通孔１１ｂの上方（上辺部１１ｆ方向）まで切り込みを入れ、そこからＵターンして、当該挿通孔１１ｂの位置にセットさせる形状にしてもよい。このようにすることにより、錘は水中では底辺部１１ｄが上になるので、ラインによって重さ調整用錘片１１ｃが支持され、容易に脱落しないようになる。
【００２７】
（応用例）
上記第１〜第３の実施の形態に示したルアー仕掛けは、次のように応用することができる。本応用例は図９に示すように、先端側錘片１１ｙの上辺部１１ｆ側、すなわち水中でライン３よりも低くなる位置に突起部（アイ）１１ｇを設けたものである。このアイ１１ｇにフック１２を取り付け、水中へ投下すると、アイ１１ｇがライン３に対して下側になる。ルアー仕掛け１０を動かすと、鯛はライン先端のフックではなく錘そのものに食いつこうとする傾向がある。このため、図９のようにアイ１１ｇにフック１２を取り付けることにより、釣果の可能性を高めることができる。
【符号の説明】
【００２８】
３    ライン
１０    ルアー仕掛け
１１    錘
１１ｂ    挿通孔
１１ｃ    調整用錘片
１１ｄ    底辺部
１１ｅ    スリット
１１ｆ    上辺部
１１ｇ    アイ（フック取り付け部材）
１１ｊ，１１ｍ    凸部
１１ｋ，１１ｎ    凹部
１１ｘ    後端側錘片
１１ｙ    先端側錘片
１２    フック
１３    ラバー
１４    磁石
【図１】
2017176155.tif 000003
【図２】
2017176155.tif 000004
【図３】
2017176155.tif 000005
【図４】
2017176155.tif 000006
【図５】
2017176155.tif 000007
【図６】
2017176155.tif 000008
【図７】
2017176155.tif 000009
【図８】
2017176155.tif 000010
【図９】
2017176155.tif 000011
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
ラインの下部に固定されるルアー本体部と、前記ラインに装着され前記ルアー本体部を沈めるための錘とを有するルアー仕掛けであって、
前記錘は、３つ以上に分割され、夫々は重心からずれた位置に前記ラインが通る挿通孔を有する錘片で形成され、両端の錘片の間に介装される錘片は、当該錘片の外周部から前記挿通孔にかけて前記ラインを通すためのスリットが設けられており、
夫々の錘片は、隣接する錘片と回転不能に嵌合させる凹凸構造の嵌合手段を有すると共に、隣接する錘片と互いに係止可能な係止手段を備えていることを特徴とするルアー仕掛け。
【請求項２】
前記係止手段は、磁石であることを特徴とする請求項１に記載のルアー仕掛け。
【請求項３】
釣竿側端の錘片において、前記重心に対して前記挿通孔と反対側の外周部位置にフック取り付け部材を設けたことを特徴とする請求項１または２に記載のルアー仕掛け。
【請求項４】
ルアー本体部を沈めるためのルアー仕掛け用錘であって、
前記錘は、３つ以上に分割され、夫々は重心からずれた位置にラインが通る挿通孔を有する錘片で形成され、両端の錘片の間に介装される錘片は、当該錘片の外周部から前記挿通孔にかけて前記ラインを通すためのスリットが設けられており、
夫々の錘片は、隣接する錘片と回転不能に嵌合させる凹凸構造の嵌合手段を有すると共に、隣接する錘片と互いに係止可能な係止手段を備えていることを特徴とするルアー仕掛け用錘。
【手続補正２】
【補正対象書類名】明細書
【補正対象項目名】０００７
【補正方法】変更
【補正の内容】
【０００７】
上記目的を達成するため、本発明に係るルアー仕掛けは、ラインの下部に固定されるルアー本体部と、前記ラインに装着され前記ルアー本体部を沈めるための錘とを有するルアー仕掛けであって、
前記錘は、３つ以上に分割され、夫々は重心からずれた位置に前記ラインが通る挿通孔を有する錘片で形成され、両端の錘片の間に介装される錘片（重さ調整用錘片）は、当該錘片の外周部から前記挿通孔にかけて前記ラインを通すためのスリットが設けられており、
夫々の錘片は、隣接する錘片と互いに係止可能な係止手段を備えていることを特徴とする。